(57)【要約】【課題】携帯電話の高画質化に伴い、画像データ信号とアンテナ間のＥＭＩやＥＭＳの問題を抑制した携帯端末を提供する。【解決手段】自己同期符号エンコーダ２１は、画像データ２１ａを、クロックを内在した自己同期符号に符号化し、符号データ２１ｂを出力する。ＡＴＴ２２は、符号データ２１ｂの振幅を調整する。ＬＰＦ２３は、無線部の無線周波数帯域を減衰させ、滑らかな波形信号を出力し、ワイヤハーネス１０へ送出する。これにより、ワイヤハーネス１０から無線部へのＥＭＩ対策となる。ＬＰＦ２５は、ワイヤハーネス１０を通過したＬＰＦ２３ａの信号を受信し、無線部の無線周波数帯域を減衰させる。これにより、無線部からワイヤハーネス１０へのＥＭＳ対策となる。整形回路２６、自己同期符号デコーダ２７により、元の画像データ２１ａを復号する。復号エラー発生時は、ＡＴＴ２２の出力振幅を大きくする。【選択図】図２
2008172692.tif 000002
【特許請求の範囲】
【請求項１】
無線信号の送信および受信を行う無線部と、
前記無線部に接続されたアンテナと、
データ信号をクロック内在の自己同期符号化して符号化データを出力する自己同期符号エンコーダと、
前記符号化データに対して前記無線部の周波数帯域を減衰させる第１のフィルタと、
前記第１のフィルタ出力に接続される線路と、
前記線路の他方の端部に接続されて前記無線部の周波数帯域を減衰させる第２のフィルタと、
前記第２のフィルタ出力を２値信号に整形する整形回路と、
前記整形回路出力から前記データ信号を復号する自己同期符号デコーダとを
具備することを特徴とする携帯端末。
【請求項２】
更に、
自在に係合する複数の筐体と、
前記筐体間を繋ぐ係合手段とを有し、
前記線路は、前記係合手段を通して前記複数の筐体間に配線され、
前記アンテナは、前記係合手段の近傍に配置されることを特徴とする請求項１に記載の携帯端末。
【請求項３】
前記データ信号は、画像データであることを特徴とする請求項１に記載の携帯端末。
【請求項４】
無線信号の送信および受信を行う無線部と、
前記無線部に接続されたアンテナと、
データ信号をクロック内在の自己同期符号化して符号化データを出力する自己同期符号エンコーダと、
前記符号化データの振幅を調整する振幅調整手段と、
前記振幅調整手段の出力に対して前記無線部の周波数帯域を減衰させる第１のフィルタと、
前記第１のフィルタ出力に接続される線路と、
前記線路の他方の端部に接続されて前記無線部の周波数帯域を減衰させる第２のフィルタと、
前記第２のフィルタ出力を２値信号に整形する整形回路と、
前記整形回路出力から前記データ信号を復号する自己同期符号デコーダと、
前記復号したデータ信号のエラーを検出するエラー検出手段と、
前記エラーを検出した場合、前記振幅調整手段の振幅を変化させる制御手段とを
具備することを特徴とする携帯端末。
【請求項５】
前記第１のフィルタは前記無線部の受信周波数帯で減衰量が大きく、前記第２のフィルタは前記無線部の送信周波数帯で減衰量が大きいことを特徴とする請求項１乃至４のいずれか１項に記載の携帯端末。
【発明の詳細な説明】
【技術分野】
【０００１】
本発明は、折り畳み式携帯電話機などの携帯端末に関し、特に、上下筐体間の画像データの伝送に関する。
【背景技術】
【０００２】
携帯電話の上下筐体間の画像データ伝送用に用いられるＬＳＩがある（例えば、非特許文献１参照。）。ここに記載の携帯電話では、上下筐体間の画像データなどの送受信用に、ＬＶＤＳ（Low Voltage Differential Signal。低電圧差動信号）方式で、かつ、データとクロックによる外部同期方式の高速シリアル転送が使用され、信号数の削減および低ＥＭＩを実現している。この画像データなどの送受信用のハーネスは、ヒンジ部内を通して、上下筐体間に配線される。
【０００３】
ＬＶＤＳは、物理レベルを定義するものであり、信号振幅を数１００ｍVの低電圧にすることで高速化をはかっている。また、低電圧および差動打消しにより、外部への放射ノイズを抑えて低ＥＭＩを実現することができる。反面、低電圧であるため、外部からの到来ノイズに弱い面があるが、差動打消しにより、外部からのＥＭＳにも対応できる。差動信号のハーネス配線に縒り対線を使用すれば、よりＥＭＩ、ＥＭＳに強くなる。
【０００４】
一方、外部同期方式は、データとクロックの伝送方式を定義するものであり、データとクロックを並列に２つの信号線で伝送し、受信側でそのクロックにより、データを再生するものである。
【０００５】
この非特許文献１には記載されてないが、携帯電話の移動通信用のアンテナは、ヒンジ部近辺に内蔵されることが多い。これは、無線部とアンテナを共に下筐体側に配置して、無線部とアンテナ間の無線周波数信号の配線を短くする目的である。そのために、使用者が下筐体を手に持った状態でアンテナが隠れないように、アンテナは、ヒンジ部近辺に配置される。そのため、ハーネスとアンテナは近接する配置となり、ハーネスからアンテナへのＥＭＩが問題になりやすい。また、アンテナからハーネス画像データ信号へのＥＭＳが問題になりやすい。また、ハーネスとして、縒り対線ではなく、フレキシブル基板によるペア配線が使用されることもあり、ＥＭＩ・ＥＭＳ性能が劣化するおそれもある。
【０００６】
また、近年、携帯電話の表示部、カメラ部は、高画質化のため、ますます高解像度化や色調の増加に伴い、単位時間あたりの画像データ量が増え、ＬＶＤＳ自体の低ＥＭＩ化がむずかしくなっている。そのため、ハーネスをシールドするなどの対策が必要となる。
【０００７】
図４は、従来の外部同期式のデータとクロックのタイミングチャートである。データ、クロックともに、ＬＶＤＳで振幅を低電圧として、低ＥＭＩを実現している。しかし、低電圧ではあるが、波形の立ち上がり、立下りは、急峻であり、高調波成分を含んでおり、データが高速になるにつれ、アンテナの無線周波数に影響を及ぼす。
【０００８】
この外部同期式のデータとクロックの急峻な波形をなめらかにして、高調波成分を減らし、低ＥＭＩ化を行うことも考えられる。しかし、データとクロックの外部同期式の場合、データとクロックが高速になるにつれ、波形をなめらかにすると、データとクロック間のズレが増えて、受信側でデータエラーとなってしまう。
【非特許文献１】［平成18年11月14日検索］、インターネット〈URL：http://www.semicon.toshiba.co.jp/product/assp/selection/topics/1173947_1928.html〉
【発明の開示】
【発明が解決しようとする課題】
【０００９】
携帯電話の高画質化に伴い、画像データ信号とアンテナ間のＥＭＩやＥＭＳの問題が発生しやすくなる。本発明は、本来、ＬＡＮ、光通信などで使用されるデータとクロックの伝送方式である自己同期符号方式を、携帯端末の上下筐体間の画像データなどの送受信用に使って、携帯端末特有の画像データ信号とアンテナ間のＥＭＩやＥＭＳの問題を抑制した携帯端末を提供することを目的とする。
【課題を解決するための手段】
【００１０】
上記目的を達成するために、本発明の携帯端末は、無線信号の送信および受信を行う無線部と、前記無線部に接続されたアンテナと、データ信号をクロック内在の自己同期符号化して符号化データを出力する自己同期符号エンコーダと、前記符号化データに対して前記無線部の周波数帯域を減衰させる第１のフィルタと、前記第１のフィルタ出力に接続される線路と、前記線路の他方の端部に接続されて前記無線部の周波数帯域を減衰させる第２のフィルタと、前記第２のフィルタ出力を２値信号に整形する整形回路と、前記整形回路出力から前記データ信号を復号する自己同期符号デコーダとを具備することを特徴とする。
【発明の効果】
【００１１】
本発明によれば、携帯端末特有の画像データ信号とアンテナ間のＥＭＩやＥＭＳの問題を抑制することが可能となる。
【発明を実施するための最良の形態】
【００１２】
以下、本発明の実施例を、図面を参照して説明する。  
図１は、本発明の実施例に係る携帯端末の構造図であり、「Ａ：正面図」、「Ｂ：ハーネス接続」、「C：側面図」を示す。携帯端末１００は、折り畳み式の構造であり、上筐体１と下筐体２がヒンジ３により回動自在に係合している。「Ａ：正面図」に示すように、上筐体１には、音声レシーバ４、表示部５などが配置される。また、上筐体１の背面側には、カメラ６などが配置される。下筐体２には、操作キー７などが配置される。
【００１３】
「Ｂ：ハーネス接続」に示すように、上筐体１の内部には上基板８が配置され、下筐体２の内部には、主基板９が配置される。そして、上基板８と主基板９は、ワイヤハーネス１０により電気的に接続される。ワイヤハーネス１０は、コネクタ１１、コネクタ１２、及び線材１３などにより構成される。ワイヤハーネス１０は、ヒンジ３の内部を通して、配線される。ワイヤハーネス１０には、主基板９から表示部５へ伝送する高速の画像データや、カメラ６から主基板９へ伝送する高速のカメラデータなどが伝送される。
【００１４】
「C：側面図」に示すように、下筐体２の内部には、主基板９が配置され、ワイヤハーネス１０のコネクタ１２が接続される。主基板９には、無線ユニット１６が搭載される。ヒンジ３の近傍には、アンテナ１４が搭載され、無線ユニット１５と接続される。無線ユニット１５とアンテナ１４は、ワイヤハーネス１０の近傍に配置される。
【００１５】
ワイヤハーネス１０には高速の画像データやカメラデータが流れるため、放射ノイズを発生するおそれがあり、外部へのＥＭＩ対策が必要である。特に、ワイヤハーネス１０の近傍に無線ユニット１６とアンテナ１４が配置される（図１）ため、無線受信時のアンテナ１４が外部から受信した微弱な電波信号に対して影響を及ぼさないようにする必要がある。  
また、ワイヤハーネス１０の高速の画像データやカメラデータは高速化のために低振幅の信号が使われるため、外部からのノイズの影響を受けるおそれがあり、外部からのＥＭＩ対策が必要である。特に、無線送信時には、無線ユニット１５からアンテナ１４へ大電力の高周波出力が行われる。そのため、ワイヤハーネス１０へのノイズ源となるおそれがある。そのため、無線部分とワイヤハーネス間のノイズ対策を行う必要がある。
【００１６】
図２は、本発明の実施例に係る携帯端末の関連部分のブロック図である。  
図３は、本発明の実施例に係る携帯端末の自己同期方式のタイムチャートである。  
図２、図３により、以下、動作を説明する。携帯端末１００は、下筐体２側には、アンテナ１４、無線ユニット１５、自己同期符号エンコーダ２１、ＡＴＴ２２（アッテネータ）、ＬＰＦ２３（ローパスフィルタ）、コネクタ１２、制御部２４などが搭載される。上筐体１側には、コネクタ１１、ＬＰＦ２５、整形回路２６、自己同期符号デコーダ２７、表示部５、エラー検出部２８などが搭載される。下筐体２と上筐体１間は、ワイヤハーネス１０（線路）で接続される。
【００１７】
自己同期符号エンコーダ２１に入力される画像データ２１ａは、表示部２８に表示する様々な画像データである。自己同期符号エンコーダ２１は、この画像データ２１ａを自己同期符号に符号化し、符号データ２１ｂを出力する。自己同期符号は、データの中にクロック情報を含ませて１つの信号線で伝送できる方式であり、外部同期方式と対比する方式である。
【００１８】
自己同期符号は、周知の技術であり、例えば、［平成18年11月14日検索］、インターネット〈URL：http://miyasan.serio.jp/series3/denso062.html〉に概略が記載されている。自己同期符号は、１つの信号の中にデータとクロックを内在した方式であり、マンチェスタ符号（バイフェイズ符号）、４Ｂ／５Ｂ符号などがある。
【００１９】
マンチェスタ符号は、図３（ａ）に示すように、元データ（画像データ２１ａ）の「１」を「０１」に変換、元データ「０」を「１０」に変換するだけの簡単な符号化（エンコード）である。それにより、自己同期符号２１ｂのデータの中に必ず変化点が発生することになる。受信側では、その変化点を検出することにより、クロックを再生し、元データを復号（デコード）するものである。
【００２０】
４Ｂ／５Ｂ符号は、図３（ｂ）に示すように、元データ（画像データ２１ａ）をニブル（４ビット）ずつにまとめて、４ビットを５ビットに変換する簡単な符号化（エンコード）である。このとき、例えば、元データ「００００」を「１１１１０」に変換するように、必ず変化点を含む符号化である。受信側では、その変化点を検出することにより、クロックを再生し、元データを復号するものである。４Ｂ／５Ｂと同等のもので、８Ｂ／１０Ｂなどがある。マンチェスタ符号、４Ｂ／５Ｂ符号共に、受信側のクロック再生の精度を上げるために、データ送信に先だってクロック成分の多いプリアンブルが送信されてもよい。自己同期符号エンコーダ２１の内部詳細は周知であり、説明を省略する。
【００２１】
ＡＴＴ２２は、入力された符号データ２１ｂの振幅を調整する。ＡＴＴ２２の出力のままでは、立ち上がり、立ち下りが急峻で高調波を含むので、ＬＰＦ２３は、ＡＴＴ２２の出力に対して、無線部の無線周波数帯域を減衰させ、図３（ａ）（ｂ）に示したＬＰＦ２３ａのような滑らかな波形信号を出力し、ワイヤハーネス１０へ送出する。
【００２２】
なお、ＬＰＦ２３ａの信号の物理レベルの方式としては、ＬＶＤＳのような差動方式で１信号を２本の縒り対線で送ってもよいし、差動方式ではない単線で送ってもよい。
【００２３】
マンチェスタ符号では、自己同期符号２１ｂの周波数は、画像データ２１ａの最大２倍である。また、４Ｂ／５Ｂ符号では、自己同期符号２１ｂの周波数は、画像データ２１ａの最大４分の５倍である。画像データ２１ａの周波数に対して、無線周波数は充分に高いので、無線周波数帯域を減衰させても自己同期符号２１ｂの周波数成分の減衰の影響を軽微なものとすることは容易である。従って、無線周波数帯域を十分減衰させることができ、ワイヤハーネス１０を通るＬＰＦ２３ａの信号による無線部への放射ノイズを大幅に低減することができる。
【００２４】
上筐体１側では、ワイヤハーネス１０を通過したＬＰＦ２３ａの信号をＬＰＦ２５で受信する。ＬＰＦ２５は、無線部の無線周波数帯域を減衰させる。これにより、無線送信時の無線部の大電力の高周波出力のワイヤハーネス１０への影響を十分減衰させることができる。
【００２５】
整形回路２６は、波形のなまったＬＰＦ２３ａの信号を２値化する。この２値化は、ＬＰＦ２３ａ信号の積分平均値をスルッショルドとして、２値化する。マンチェスタ符号、４Ｂ／５Ｂ符号共に、自己同期符号２１ｂの「１」と「０」の比率が均一化されるので、直流成分が少なく、２値化を簡単に行うことができる。そして、整形回路２６は、図３（ａ）（ｂ）に示した自己同期符号２１ｂと同等の信号を出力する。
【００２６】
自己同期符号デコーダ２７は、この自己同期符号２１ｂと同等の２値化データから変化点検出によりクロックを再生し、元の画像データ２１ａと同じ画像データ２７ａを出力する。整形回路２６、自己同期符号デコーダ２７の内部詳細は周知であり、詳細説明を省略する。表示部５は、この復号された画像データ２７ａを表示する。
【００２７】
エラー検出部２８は、自己同期符号デコーダ２７の復号のエラーをチェクする。エラー検出方法は、チェックサムやＣＲＣやその他の周知技術でよい。エラーが検出されたら、エラー情報２８ａを制御部２４へ送信する。制御部２４は、エラー情報２８ａを受信したら、ＡＴＴ２２の振幅を大きくして、エラーが起きないようにする。また、自己同期方式の伝送エラーが起きない範囲で、ＡＴＴ２２の振幅を小さくする。これにより、自己同期方式の伝送品質と、無線部との間のＥＭＩ、ＥＭＳ性能の最適化をはかることができる。
【００２８】
なお、上筐体１側にあるカメラ６のカメラデータを下筐体２側に伝送する部分については、図示しないが、同様に適用できる。また、画像データやカメラデータなどの画像関係だけではなく、高速のデジタルデータ伝送部を含む機器にも適用できる。
【００２９】
また、アンテナは下筐体に配置したが、アンテナを上筐体に配置した場合でも画像データハーネスとの間のＥＭＩ、ＥＭＳを改善することができる。
【００３０】
また、複数の筐体で説明したが、単筐体の携帯端末であっても、小型の場合には、アンテナとハーネス間の干渉が大きくなるので、単筐体の携帯端末に適用してもよい。
【００３１】
図２の自己同期符号エンコーダ２１から出力される信号（画像データ２１ａ）は、無線ユニット１５の中の受信回路の受信周波数を含み、ＡＴＴ２２、ＬＰＦ２３、線材１３、アンテナ１４の経路で受信機に到達すると、微弱な信号をも受信するように設計されている受信機に干渉して受信性能を劣化させる。よって、ＬＰＦ２３は受信周波数を特に大きく減衰させることが有効である。
【００３２】
図２の無線ユニット１５の中の送信回路が送信動作すると、アンテナ１４、線材１３、ＬＰＦ２５の経路で整形回路２６に到達すると、送信は大電力であることが一般的なので線材１３上の信号（ＬＰＦ２３ａ）にとって雑音となり、整形回路２６の出力に障害を与える。よって、ＬＰＦ２４は送信周波数を特に大きく減衰させることが有効である。
【００３３】
また、携帯端末は、携帯電話機、ＰＤＡ、ＰＨＳなどのアンテナと高速のデジタルデータ伝送部を含む装置に適用することができる。
【００３４】
本発明の実施例によれば、自己同期符号では、伝送路の波形を相当なまらせても復号が可能であることに着目し、携帯端末の高速データ伝送部（画像データなど）に適用し、無線周波数帯域を減衰させて、高速データ伝送部と無線部との間の相互影響を低減することができる。従って、画像データなどの高速のデジタルデータ伝送部が発生するノイズを大幅に低減して、無線部への影響を低減することができる。また、無線部からの大出力の無線信号による高速のデジタルデータ伝送部への影響を低減することができる。これにより、高画質化等のデータ伝送部の高速化に対応することが可能になる。
【図面の簡単な説明】
【００３５】
【図１】本発明の実施例に係る携帯端末の構造図。
【図２】本発明の実施例に係る携帯端末のブロック図。
【図３】本発明の実施例に係る携帯端末のマンチェスタ符号のタイムチャート。
【図４】従来の携帯端末のＬＶＤＳのタイムチャート。
【符号の説明】
【００３６】
１  上筐体
２  下筐体
３  ヒンジ
４  音声レシーバ
５  表示部
６  カメラ
７  操作キー
８  上基板
９  主基板
１０  ワイヤハーネス
１１、１２  コネクタ
１３  線材
１４  アンテナ
１５  無線ユニット
２１  自己同期符号エンコーダ
２２  ＡＴＴ
２３  ＬＰＦ
２４  制御部
２５  ＬＰＦ
２６  整形回路
２７  自己同期符号デコーダ
２８  エラー検出部
１００  携帯端末
【図１】
2008172692.tif 000003
【図２】
2008172692.tif 000004
【図３】
2008172692.tif 000005
【図４】
2008172692.tif 000006